(57)【要約】【課題】データを読み出せない不良サーボパターンが検出されても、磁気ディスクの所定の周位置にサーボパターンを形成することが可能な、磁気ディスクにサーボパターンを形成する方法を提供する。【解決手段】本発明では、再生素子によりデータを読み出せない不良サーボパターンを検出したときに（Ｓ１３）、磁気ヘッドを内周側に移動させ（Ｓ２２）、不良サーボパターンとは異なる周位置に予備サーボパターンを形成し（Ｓ２４）、磁気ヘッドを外周側に移動させ（Ｓ２６）、再生素子が予備サーボパターンから読み出すデータに基づいて、不良サーボパターンが形成された軌道よりも外周側のサーボデータ領域に、記録素子により新たな製品サーボパターンを形成する（Ｓ２８）。【選択図】図２
2010027112.tif 000002
【特許請求の範囲】
【請求項１】
磁気ディスクの所定の周位置に形成されるサーボパターンであって、前記所定の周位置の到来を知らせるデータと、前記サーボパターンが形成された軌道に対する磁気ヘッドの偏差を知らせるデータと、を少なくとも表すサーボパターンを、前記磁気ヘッドにより形成する、
磁気ディスクにサーボパターンを形成する方法であって、
前記磁気ヘッドは、
前記サーボパターンを形成する記録素子と、
前記記録素子に対して前記磁気ディスクの径方向のうち前記サーボパターンを増殖させていく増殖方向とは逆方向にずれ、前記記録素子により形成された前記サーボパターンからデータを読み出して、前記サーボパターンを形成する際のタイミング制御および前記磁気ヘッドの位置制御に供する再生素子と、
を含み、
前記再生素子によりデータを読み出せない不良サーボパターンが存在するときに、
前記磁気ヘッドを前記増殖方向とは逆方向に移動させ、
前記不良サーボパターンが形成された軌道上に前記記録素子を位置させた状態で、前記不良サーボパターンとは異なる周位置に予備サーボパターンを形成し、
前記磁気ヘッドを前記増殖方向に移動させ、
前記再生素子が前記予備サーボパターンから読み出すデータに基づいて、前記不良サーボパターンが形成された軌道上に前記再生素子を位置させた状態で、前記不良サーボパターンが形成された軌道よりも前記増殖方向の側の前記所定の周位置に、前記記録素子により新たな前記サーボパターンを形成する、
ことを特徴とする磁気ディスクにサーボパターンを形成する方法。
【請求項２】
前記不良サーボパターンが存在するときに、
前記磁気ヘッドを前記増殖方向に移動させ、前記不良サーボパターンが形成された軌道よりも前記増殖方向の側の軌道に他の不良サーボパターンが存在するか否かを確認し、
その後、前記磁気ヘッドを前記増殖方向とは逆方向に移動させる、
請求項１に記載の磁気ディスクにサーボパターンを形成する方法。
【請求項３】
前記サーボパターンは、前記磁気ヘッドの偏差を知らせるデータを表す、前記磁気ディスクの径方向に互いに位置が異なる複数種類のバーストパターンを含み、
前記磁気ヘッドによりデータを読み出せない不良バーストパターンが、前記不良サーボパターンとして存在するときに、
前記不良バーストパターンを含む前記複数種類のバーストパターンの組に対応する複数種類の予備バーストパターンの組を、前記異なる周位置に形成する、
請求項１に記載の磁気ディスクにサーボパターンを形成する方法。
【請求項４】
前記予備サーボパターンは、他の前記サーボパターンと識別可能に形成される、
請求項１に記載の磁気ディスクにサーボパターンを形成する方法。
【請求項５】
前記サーボパターンは、前記磁気ディスクの径位置を特定するデータと、前記磁気ディスクの周位置を特定するデータとを更に表し、
前記不良サーボパターンが存在する前記磁気ディスクの周位置および径位置を記憶する、
請求項１に記載の磁気ディスクにサーボパターンを形成する方法。
【請求項６】
前記サーボパターンの検査を行う工程において、前記不良サーボパターンが存在する前記磁気ディスクの周位置および径位置の検査を行わない、
請求項５に記載の磁気ディスクにサーボパターンを形成する方法。
【請求項７】
前記不良サーボパターンが存在する前記磁気ディスクの周位置および径位置を、データの書き込み及び読み出しに使用しない位置として、磁気ディスク装置に登録する、
請求項５に記載の磁気ディスクにサーボパターンを形成する方法。
【請求項８】
磁気ディスクの所定の周位置に形成されるサーボパターンであって、前記所定の周位置の到来を知らせるデータと、前記サーボパターンが形成された軌道に対する磁気ヘッドの偏差を知らせるデータと、を少なくとも表すサーボパターンを、前記磁気ヘッドにより形成する、
磁気ディスクにサーボパターンを形成する装置であって、
前記磁気ヘッドは、前記サーボパターンを形成する記録素子と、前記記録素子に対して前記磁気ディスクの径方向のうち前記サーボパターンを増殖させていく増殖方向とは逆方向にずれ、前記記録素子により形成された前記サーボパターンからデータを読み出す再生素子と、を含み、
前記再生素子が前記サーボパターンからデータを読み出したデータに基づいて、前記サーボパターンを形成する際のタイミング制御および前記磁気ヘッドの位置制御を行う制御回路を備え、
前記制御回路は、
前記再生素子によりデータを読み出せない不良サーボパターンが存在するときに、
前記磁気ヘッドを前記増殖方向とは逆方向に移動させ、
前記不良サーボパターンが形成された軌道上に前記記録素子を位置させた状態で、前記不良サーボパターンとは異なる周位置に予備サーボパターンを形成し、
前記磁気ヘッドを前記増殖方向に移動させ、
前記再生素子が前記予備サーボパターンから読み出すデータに基づいて、前記不良サーボパターンが形成された軌道上に前記再生素子を位置させた状態で、前記不良サーボパターンが形成された軌道よりも前記増殖方向の側の前記所定の周位置に、前記記録素子により新たな前記サーボパターンを形成する、
ことを特徴とする磁気ディスクにサーボパターンを形成する装置。
【請求項９】
所定の周位置に形成されるサーボパターンであって、前記所定の周位置の到来を知らせるデータと、前記サーボパターンが形成された軌道に対する磁気ヘッドの偏差を知らせるデータと、を少なくとも表すサーボパターンと、
前記サーボパターンのうちデータを読み出せない不良サーボパターンと同じ軌道上の異なる周位置に形成された予備サーボパターンと、
を有する磁気ディスク。
【発明の詳細な説明】
【技術分野】
【０００１】
本発明は、磁気ディスクにサーボパターンを形成する方法および装置に関する。
【背景技術】
【０００２】
磁気ディスク装置に用いられる磁気ディスクには、所定の周位置にサーボパターンが形成される。このサーボパターンは、サーボパターンの到来を知らせるためのデータや、サーボパターンが形成された軌道に対する磁気ヘッドの偏差を知らせるためのデータなどを表す。
【０００３】
こうしたサーボパターンを形成する方法の一つとして、磁気ディスク装置が有する磁気ヘッドの位置決め機構を利用して磁気ディスクにサーボパターンを形成する、いわゆるセルフサーボライト方式が知られている。
【特許文献１】特開２００５−１９０５０９号公報
【発明の開示】
【発明が解決しようとする課題】
【０００４】
ところで、セルフサーボライト方式では、磁気ヘッドに含まれる記録素子および再生素子が磁気ディスクの径方向にずれていることを利用して、既に形成されているサーボパターンから再生素子によりデータを読み出すことで磁気ヘッドを位置決めし、この状態で記録素子により新たなサーボパターンを形成するといった工程を繰り返すことで、磁気ディスクの所定の周位置にサーボパターンを順次形成していく。
【０００５】
しかしながら、磁気ディスクの欠陥上にサーボパターンが形成された等の理由により、データを読み出すことができない不良サーボパターンが存在する場合には、磁気ヘッドの位置決めに支障を来し、磁気ディスクの所定の周位置にそれ以上サーボパターンを形成することが困難となる。
【０００６】
なお、特許文献１には、専用の書き込み装置によってタイミングパターンが予め所定の周位置に形成された磁気ディスクに対して、磁気ヘッドによりバーストパターンを含む追記サーボパターンを形成する方法が開示されている。この特許文献１には、追記サーボパターンが不良である場合に、これと異なる周位置に追記サーボパターンを形成し直すことが記載されている。
【０００７】
しかしながら、特許文献１では、追記サーボパターンとは別に、タイミングパターンが所定の周位置に予め形成されていること（特許文献１の図１３を参照）、追記サーボパターンの形成後に製品用サーボパターンが別途形成され、追記サーボパターンが製品でのデータ読み書き時に使用されないこと（特許文献１の図１５を参照）等から、追記サーボパターンを決まった周位置に形成し続けるという動機がそもそも存在しない。
【０００８】
また、特許文献１の図１４では、磁気ディスク上の欠陥を避けて追記サーボパターンが形成された後に、元の周位置に戻って追記サーボパターンが形成されているようにも見えるが、これは、別の欠陥が新たに発見され、この欠陥を避けたときに偶然に元の周位置に戻っただけであり、敢えて元の周位置に戻している訳ではない。
【０００９】
本発明は、上記実情に鑑みて為されたものであり、データを読み出せない不良サーボパターンが存在しても、磁気ディスクの所定の周位置にサーボパターンを形成していくことが可能な、磁気ディスクにサーボパターンを形成する方法および装置を提供することを主な目的とする。
【課題を解決するための手段】
【００１０】
上記課題を解決するため、本発明の磁気ディスクにサーボパターンを形成する方法は、磁気ディスクの所定の周位置に形成されるサーボパターンであって、前記所定の周位置の到来を知らせるデータと、前記サーボパターンが形成された軌道に対する磁気ヘッドの偏差を知らせるデータと、を少なくとも表すサーボパターンを、前記磁気ヘッドにより形成する、磁気ディスクにサーボパターンを形成する方法であって、前記磁気ヘッドは、前記サーボパターンを形成する記録素子と、前記記録素子に対して前記磁気ディスクの径方向のうち前記サーボパターンを増殖させていく増殖方向とは逆方向にずれ、前記記録素子により形成された前記サーボパターンからデータを読み出して、前記サーボパターンを形成する際のタイミング制御および前記磁気ヘッドの位置制御に供する再生素子と、を含み、前記再生素子によりデータを読み出せない不良サーボパターンが存在するときに、前記磁気ヘッドを前記増殖方向とは逆方向に移動させ、前記不良サーボパターンが形成された軌道上に前記記録素子を位置させた状態で、前記不良サーボパターンとは異なる周位置に予備サーボパターンを形成し、前記磁気ヘッドを前記増殖方向に移動させ、前記再生素子が前記予備サーボパターンから読み出すデータに基づいて、前記不良サーボパターンが形成された軌道上に前記再生素子を位置させた状態で、前記不良サーボパターンが形成された軌道よりも前記増殖方向の側の前記所定の周位置に、前記記録素子により新たな前記サーボパターンを形成する、ことを特徴とする。
【００１１】
また、本発明の磁気ディスクにサーボパターンを形成する装置は、磁気ディスクの所定の周位置に形成されるサーボパターンであって、前記所定の周位置の到来を知らせるデータと、前記サーボパターンが形成された軌道に対する磁気ヘッドの偏差を知らせるデータと、を少なくとも表すサーボパターンを、前記磁気ヘッドにより形成する、磁気ディスクにサーボパターンを形成する装置であって、前記磁気ヘッドは、前記サーボパターンを形成する記録素子と、前記記録素子に対して前記磁気ディスクの径方向のうち前記サーボパターンを増殖させていく増殖方向とは逆方向にずれ、前記記録素子により形成された前記サーボパターンからデータを読み出す再生素子と、を含み、前記再生素子が前記サーボパターンからデータを読み出したデータに基づいて、前記サーボパターンを形成する際のタイミング制御および前記磁気ヘッドの位置制御を行う制御回路を備え、前記制御回路は、前記再生素子によりデータを読み出せない不良サーボパターンが存在するときに、前記磁気ヘッドを前記増殖方向とは逆方向に移動させ、前記不良サーボパターンが形成された軌道上に前記記録素子を位置させた状態で、前記不良サーボパターンとは異なる周位置に予備サーボパターンを形成し、前記磁気ヘッドを前記増殖方向に移動させ、前記再生素子が前記予備サーボパターンから読み出すデータに基づいて、前記不良サーボパターンが形成された軌道上に前記再生素子を位置させた状態で、前記不良サーボパターンが形成された軌道よりも前記増殖方向の側の前記所定の周位置に、前記記録素子により新たな前記サーボパターンを形成する、ことを特徴とする。
【００１２】
また、本発明の一態様では、前記不良サーボパターンが存在するときに、前記磁気ヘッドを前記増殖方向に移動させ、前記不良サーボパターンが形成された軌道よりも前記増殖方向の側の軌道に他の不良サーボパターンが存在するか否かを確認し、その後、前記磁気ヘッドを前記増殖方向とは逆方向に移動させる。
【００１３】
また、本発明の一態様では、前記サーボパターンは、前記磁気ヘッドの偏差を知らせるデータを表す、前記磁気ディスクの径方向に互いに位置が異なる複数種類のバーストパターンを含み、前記磁気ヘッドによりデータを読み出せない不良バーストパターンが、前記不良サーボパターンとして存在するときに、前記不良バーストパターンを含む前記複数種類のバーストパターンの組に対応する複数種類の予備バーストパターンの組を、前記異なる周位置に形成する。
【００１４】
また、本発明の一態様では、前記予備サーボパターンは、他の前記サーボパターンと識別可能に形成される。
【００１５】
また、本発明の一態様では、前記サーボパターンは、前記磁気ディスクの径位置を特定するデータと、前記磁気ディスクの周位置を特定するデータとを更に表し、前記不良サーボパターンが存在する前記磁気ディスクの周位置および径位置を記憶する。
【００１６】
また、この態様では、前記サーボパターンの検査を行う工程において、前記不良サーボパターンが存在する前記磁気ディスクの周位置および径位置の検査を行わないようにしてもよい。
【００１７】
また、この態様では、前記不良サーボパターンが存在する前記磁気ディスクの周位置および径位置を、データの書き込み及び読み出しに使用しない位置として、磁気ディスク装置に登録するようにしてもよい。
【００１８】
また、上記方法により得られる本発明の磁気ディスクは、所定の周位置に形成されるサーボパターンであって、前記所定の周位置の到来を知らせるデータと、前記サーボパターンが形成された軌道に対する磁気ヘッドの偏差を知らせるデータと、を少なくとも表すサーボパターンと、前記サーボパターンのうちデータを読み出せない不良サーボパターンと同じ軌道上の異なる周位置に形成された予備サーボパターンと、を有する。
【発明の効果】
【００１９】
本発明によれば、不良サーボパターンが存在しても、不良サーボパターンとは異なる周位置に予備サーボパターンを形成し、この予備サーボパターンを利用することで所定の周位置にサーボパターンを形成することができる。
【発明を実施するための最良の形態】
【００２０】
本発明の実施形態について、図面を参照しながら説明する。
【００２１】
図１は、本発明の一実施形態に係る、磁気ディスクにサーボパターンを形成する装置（サーボパターン形成装置）の構成例を表すブロック図である。サーボパターン形成装置は、磁気ディスク装置１として構成されている。磁気ディスク装置１の筐体９には、磁気ディスク２及びヘッドアッセンブリ６が収納されている。
【００２２】
磁気ディスク２は、筐体９の底部に設けられたスピンドルモータ３に取り付けられている。この磁気ディスク２の記録面の所定の周位置は、サーボデータ領域２１ｓとされる。サーボデータ領域２１ｓは所定の周期で配列し、各サーボデータ領域２１ｓには、後述する方法によって、サーボマーク、アドレスデータ及びバースト信号などを表すサーボパターンが形成される。
【００２３】
ヘッドアッセンブリ６は、磁気ディスク２の隣で旋回可能に支承されている。ヘッドアッセンブリ６の先端部には、磁気ヘッド４が支持されている。他方、ヘッドアッセンブリ６の後端部には、ボイスコイルモータ７が設けられている。ボイスコイルモータ７は、ヘッドアッセンブリ６を旋回駆動することで、磁気ヘッド４を磁気ディスク２上で略半径方向に移動させる。
【００２４】
また、磁気ディスク装置１は、筐体９外の基板に、制御回路１０、チャネル回路１３及びドライバ回路１７を有している。この制御回路１０は、マイクロプロセッシングユニット（ＭＰＵ）、ハードディスクコントローラ（ＨＤＣ）及びメモリ等の記憶部を含んでいる。
【００２５】
制御回路１０は、磁気ディスク２にサーボパターンを形成するためのデータを生成し、チャネル回路１３を介してアンプ回路１４に出力する。アンプ回路１４は、このデータを記録信号に変換して、磁気ヘッド４に出力する。磁気ヘッド４は、この記録信号を記録磁界に変換して磁気ディスク２に印加することで、磁気ディスク２にサーボパターンを形成する。
【００２６】
他方、磁気ヘッド４は、磁気ディスク２に形成されたサーボパターンから漏れ出る磁界を再生信号に変換し、アンプ回路１４に出力する。アンプ回路１４は、この再生信号を増幅し、チャネル回路１３に出力する。チャネル回路１３は、サーボデータ領域２１ｓの配列周期に対応するサンプリング周期で再生信号からデータを抽出し、制御回路１０に出力する。
【００２７】
制御回路１０は、チャネル回路１３から入力されるデータに基づいて、磁気ヘッド４の位置決め制御を行う。具体的には、制御回路１０は、チャネル回路１３から入力されるデータに含まれるバースト信号から、目標となる軌道に対する磁気ヘッド４の偏差を算出するとともに、この偏差を抑制するための制御信号を生成し、ドライバ回路１７を介してボイスコイルモータ７に出力する。
【００２８】
なお、本実施形態では、磁気ディスク２にサーボパターンを形成する際に、筐体９内の磁気ヘッド４及びボイスコイルモータ７を、磁気ディスク装置１が有する制御回路１０、チャネル回路１３及びドライバ回路１７により制御しているが、この形態に限られず、筐体９内の磁気ヘッド４及びボイスコイルモータ７を外部機器により制御するようにしてもよい。
【００２９】
図２は、本発明の一実施形態に係る、磁気ディスクにサーボパターンを形成する方法の流れを表すフローチャートである。この方法は、上記磁気ディスク装置１において実現される。また、図３は、サーボパターン形成時の磁気ディスク２の要部拡大図である。この図３では、説明のため、磁気ディスク２の周方向が直線状に表されるとともに、ユーザデータ領域２１ｕが比較的短く表されている。
【００３０】
この図３に示されるように、磁気ディスク２のサーボデータ領域２１ｓには、磁気ヘッド４に含まれる記録素子４１により、磁気ディスク２の外周側（ＯＤ側）に向けて製品サーボパターン２３が１軌道分ずつ順次形成されていく。すなわち、磁気ディスク２の外周側が、製品サーボパターン２３を増殖させていく増殖方向とされる。
【００３１】
ここで、製品サーボパターン２３は、サーボデータ領域２１ｓに形成され、製品とされた磁気ディスク装置１においてデータを読み書きする際に利用されるサーボパターンである。この製品サーボパターン２３は、サーボデータ領域２１ｓの先頭に形成される製品アドレスパターン２３１と、磁気ディスク２の径方向に互いに位置が異なる４種類Ａ〜Ｄの製品バーストパターン２３２とを含んでいる。
【００３２】
磁気ディスク２における円周状の軌道は、製品バーストパターン２３２によって各々規定される。具体的には、製品バーストパターン２３２Ａ，２３２Ｂが、製品とされた磁気ディスク装置１においてデータを読み書きする際の中心（データ中心２１ｃ）となる軌道を規定し、製品バーストパターン２３２Ｃ，２３２Ｄが、その中間の軌道を規定する。
【００３３】
また、製品アドレスパターン２３１は、磁気ディスク２の記録面内の絶対位置を特定するアドレスデータを表す。このアドレスデータは、データ中心２１ｃ毎に付された通し番号により磁気ディスク２の記録面内の径位置を特定するシリンダデータと、サーボデータ領域２１ｓ毎に付された通し番号により磁気ディスク２の記録面内の周位置を特定するセクタデータとを含んでいる。
【００３４】
また、製品アドレスパターン２３１の先頭部分には、サーボデータ領域２１ｓの到来を知らせるためのサーボマークが形成されている。磁気ヘッド４に含まれる再生素子４３により製品アドレスパターン２３１からサーボマークが読み出されると、上記制御回路１０は、磁気ヘッド４下にサーボデータ領域２１ｓが到来したことを把握することができ、更には、これを基準として任意の周位置が到来するタイミングを把握することができる。
【００３５】
また、製品バーストパターン２３２は、これらによって規定される軌道に対する磁気ヘッド４の偏差（相対位置）を知らせるためのバースト信号を表す。磁気ヘッド４に含まれる再生素子４３により製品バーストパターン２３２からバースト信号が読み出されると、上記制御回路１０は、これらによって規定される軌道に対する磁気ヘッド４の偏差を把握することができる。
【００３６】
磁気ヘッド４では、記録素子４１に対して再生素子４３が磁気ディスク２の内周側（ＩＤ側）にずれている。図３では、記録素子４１と再生素子４３との磁気ディスク２の径方向に沿ったずれ量Δｗｒが６軌道分である場合の例を示している。これにより、製品サーボパターン２３を外周側に増殖させていく際に、再生素子４３が、既に形成されている製品サーボパターン２３からデータを読み出すことができる。
【００３７】
従って、図２のフローチャートにおいて、制御回路１０は、新たな製品サーボパターン２３を形成すべき径位置に記録素子４１が位置するように、磁気ヘッド４を外周側に移動させ（Ｓ１１）、既に形成されている製品サーボパターン２３から再生素子４３が読み出すデータに基づいて、磁気ヘッド４を位置決めする（Ｓ１２）。具体的には、制御回路１０は、このときに再生素子４３が位置する軌道の製品バーストパターン２３２から読み出されるバースト信号により、この軌道に対する再生素子４３の偏差を求め、この偏差を抑制するようにボイスコイルモータ７を駆動する。
【００３８】
そして、制御回路１０は、磁気ヘッド４を位置決めした状態で、既に形成されている製品サーボパターン２３から再生素子４３が読み出すデータに基づいて、記録素子４１により新たな製品サーボパターン２３を形成するタイミング制御を行う（Ｓ１４）。具体的には、制御回路１０は、このときに再生素子４３が位置する軌道の製品アドレスパターン２３１から読み出されるサーボマークにより、磁気ヘッド４下にサーボデータ領域２１ｓが到来するタイミングに合わせて、記録素子４１により新たな製品サーボパターン２３を形成する。なお、新たな製品サーボパターン２３の形成は、サーボマークが読み出されたサーボデータ領域２１ｓの次に到来するサーボデータ領域２１ｓに対して行われる。
【００３９】
制御回路１０は、こうしたＳ１１ないしＳ１４の工程を繰り返すことによって、磁気ディスク２のサーボデータ領域２１ｓの全体に製品サーボパターン２３を形成する（Ｓ１５）。
【００４０】
なお、以上のようにサーボデータ領域２１ｓに製品サーボパターン２３を形成していく過程で、磁気ディスク２の欠陥上に製品サーボパターン２３が形成された等の理由により、不良サーボパターンが形成されてしまうことがある。以下では、不良サーボパターンが検出されたときの処理について説明する。
【００４１】
図４Ａでは、一部のサーボデータ領域２１ｓにおいて、軌道ｎＤ〜ｎ＋１Ｄに形成された製品サーボパターン２３が不良サーボパターン２５（不良アドレスパターン２５１及び不良バーストパターン２５２）である場合の例を示している。この場合、制御回路１０は、再生素子４３が軌道ｎＢ上に位置するときに不良サーボパターン２５を検出する。
【００４２】
ここで、不良サーボパターン２５は、サーボデータ領域２１ｓに形成された製品サーボパターン２３のうち、再生素子４３によりデータを読み出すことができないサーボパターン、更に詳しくは、再生素子４３により変換された再生信号から元のデータを復元することができないサーボパターンである。
【００４３】
不良サーボパターン２５が検出されると（Ｓ１３：ＹＥＳ）、制御回路１０は、図４Ｂに示されるように、磁気ヘッド４を外周側に移動させ、不良サーボパターン２５が検出された軌道ｎＤよりも外周側の軌道ｎ＋１Ａ〜ｎ＋１Ｄに他の不良サーボパターン２５が存在するか否かを確認する（Ｓ２１）。具体的には、制御回路１０は、記録素子４１と再生素子４３とのずれ量Δｗｒだけ磁気ヘッド４を外周側に移動させ、再生素子４３により各軌道ｎ＋１Ａ〜ｎ＋１Ｄからデータを読み出すことができるか否かを確認する。
【００４４】
このとき、制御回路１０は、不良サーボパターン２５が検出された磁気ディスク２の記録面内の絶対位置を、メモリ等の記憶部に記憶する。具体的には、制御回路１０は、不良サーボパターン２５が検出された径位置を表すシリンダデータと、周位置を表すセクタデータとを記憶する。不良サーボパターン２５が検出された径位置および周位置は、周囲の製品アドレスパターン２３１から読み出されるシリンダデータ及びセクタデータから相対的に特定することができる。
【００４５】
次に、制御回路１０は、図４Ｃに示されるように、磁気ヘッド４を内周側へ移動させ（Ｓ２２）、不良サーボパターン２５が形成された各軌道ｎＤ〜ｎ＋１Ｄに対し、記録素子４１が位置するように磁気ヘッド４を位置決めした状態で（Ｓ２３）、ユーザデータ領域２１ｕに予備サーボパターン２７を形成する（Ｓ２４）。
【００４６】
具体的には、制御回路１０は、不良サーボパターン２５が形成された軌道（例えば軌道ｎＤ）上に記録素子４１を位置させ、この状態で再生素子４３が位置する軌道（例えば軌道ｎ−１Ｃ）の製品バーストパターン２３２から読み出されるバースト信号に基づき、磁気ヘッド４を位置決めする。そして、制御回路１０は、再生素子４３が位置する軌道の製品アドレスパターン２３１から読み出されるサーボマークに基づき、磁気ヘッド４下にユーザデータ領域２１ｕが到来するタイミングに合わせて、記録素子４１により予備サーボパターン２７を形成する。
【００４７】
ここで、予備サーボパターン２７は、ユーザデータ領域２１ｕに形成され、製品サーボパターン２３とは識別可能に形成されるサーボパターンである。具体的には、予備サーボパターン２７のうち予備アドレスパターン２７１に形成されたサーボマークが、製品アドレスパターン２３１に形成されたサーボマークとは異なる態様で表される。これにより、後の工程において、再生素子４３が予備サーボパターン２７からデータを読み出したときに、このデータに含まれるサーボマークによって、制御回路１０が予備サーボパターン２７から読み出されたデータであることを識別することができる。なお、予備サーボパターン２７では、サーボマーク以外のデータは製品サーボパターン２３と同じ態様で表される。
【００４８】
また、予備バーストパターン２７２は、不良バーストパターン２５２を含む４種類Ａ〜Ｄの製品バーストパターン２３２の組に対応して形成される。すなわち、４種類Ａ〜Ｄの製品バーストパターン２３２の組のうち何れかが不良バーストパターン２５２である場合には、この組が不良であると言えることから、この組に対応した４種類Ａ〜Ｄの予備バーストパターン２７２が形成される。例えば、軌道ｎＡ〜ｎＤに形成された製品バーストパターン２３２のうち、軌道ｎＤに形成されたものが不良バーストパターン２５２である場合に、予備バーストパターン２７２は、軌道ｎＤのみならず、軌道ｎＡ〜ｎＣにも形成される。
【００４９】
また、不良バーストパターン２５２が形成された軌道よりも内周側にも、この不良バーストパターン２５２と同じ種類の予備バーストパターン２７２が形成される。例えば、軌道ｎＤ〜ｎ＋１Ｂに不良バーストパターン２５２が形成されている場合、これらよりも内周側の軌道ｎ−１Ｄ〜ｎＢに、これらと各々対応する同じ種類の予備バーストパターン２７２が形成される。これにより、後の工程において、不良サーボパターン２５が形成された軌道よりも内周側に再生素子４３がずれそうになる場合であっても、内周側に形成された予備バーストパターン２７２を利用して、磁気ヘッド４の位置決めを維持することができる。
【００５０】
制御回路１０は、こうしたＳ２２ないしＳ２４の工程を繰り返すことによって、各不良サーボパターン２５に対応する予備サーボパターン２７をユーザデータ領域２１ｕに形成する（Ｓ２５）。
【００５１】
次に、制御回路１０は、図４Ｄに示されるように、磁気ヘッド４を外周側へ移動させ（Ｓ２６）、不良サーボパターン２５が形成された各軌道ｎＤ〜ｎ＋１Ｄに対し、再生素子４３を位置させた状態で、予備サーボパターン２７から読み出されるデータに基づいて磁気ヘッド４を位置決めし（Ｓ２７）、不良サーボパターン２５よりも外周側のサーボデータ領域２１ｓに、記録素子４１により新たな製品サーボパターン２３を形成する（Ｓ２８）。
【００５２】
具体的には、制御回路１０は、不良サーボパターン２５が形成された軌道（例えば軌道ｎ＋１Ｂ）上に再生素子４３を位置させ、再生信号からデータを抽出するサンプリング周期を変更し、予備バーストパターン２７２から読み出されたバースト信号を取得して、これに基づいて磁気ヘッド４を位置決めする。そして、制御回路１０は、予備バーストパターン２７２から読み出されるサーボマークに基づき、磁気ヘッド４下にサーボデータ領域２１ｓが到来するタイミングに合わせて、記録素子４１によりサーボデータ領域２１ｓに製品サーボパターン２３を形成する。
【００５３】
制御回路１０は、こうしたＳ２６ないしＳ２８の工程を繰り返すことによって、予備サーボパターン２７を利用して、不良サーボパターン２５よりも外周側のサーボデータ領域２１ｓに、記録素子４１により新たな製品サーボパターン２３を形成する（Ｓ２９）。
【００５４】
その後、制御回路１０は、通常の工程Ｓ１１〜Ｓ１５に戻る。すなわち、制御回路１０は、図４Ｅに示されるように、磁気ヘッド４を外周側へ移動させ（Ｓ１１）、新たな製品サーボパターン２３が形成された軌道（例えば軌道ｎ＋２Ｃ）に再生素子４３が位置するように、磁気ヘッド４を位置決めした状態で（Ｓ１２）、記録素子４１によりサーボデータ領域２１ｓに製品サーボパターン２３を形成していく（Ｓ１４）。
【００５５】
なお、全ての製品サーボパターン２３の形成が終了した後、各製品サーボパターン２３からデータを読み出すことができるか否か確認する検査が行われるが、本実施形態では、上述したように不良サーボパターン２５が検出された径位置および周位置が記憶部に記憶されているので、これを利用して、不良サーボパターン２５が形成された位置の検査を省略することができる。また、不良サーボパターン２５が形成された位置を、磁気ディスク装置１においてデータを読み書きする際に使用しない位置として登録することができる。
【００５６】
また、上述したように、予備サーボパターン２７は、不良サーボパターン２５が形成された軌道よりも内周側の一部の軌道にも形成されているので、こうした一部の軌道に形成された予備サーボパターン２７を消去して、磁気ディスク装置１においてデータの読み書きが行われる領域として使用するようにしてもよい。図５に、こうして得られる磁気ディスク２の要部拡大図を示す。このように、不良サーボパターン２５が形成された軌道のユーザデータ領域２１ｕには、これらに対応する予備サーボパターン２７が形成されたままとされ、これ以外の軌道に形成されていた予備サーボパターン２７は消去される。
【００５７】
以上、本発明の実施形態について説明したが、本発明は上記実施形態に限定されるものではなく、種々の変形実施が当業者にとって可能であるのはもちろんである。
【図面の簡単な説明】
【００５８】
【図１】本発明の一実施形態に係る、磁気ディスクにサーボパターンを形成する装置の構成例を表すブロック図である。
【図２】本発明の一実施形態に係る、磁気ディスクにサーボパターンを形成する方法の流れを表すフローチャートである。
【図３】Ｓ１１ないしＳ１５の説明図である。
【図４Ａ】Ｓ１３の説明図である。
【図４Ｂ】Ｓ２１の説明図である。
【図４Ｃ】Ｓ２２ないしＳ２５の説明図である。
【図４Ｄ】Ｓ２６ないしＳ２９の説明図である。
【図４Ｅ】Ｓ２９以後の説明図である。
【図５】最終的な磁気ディスクの説明図である。
【符号の説明】
【００５９】
１  サーボパターン形成装置（磁気ディスク装置）、２  磁気ディスク、３  スピンドルモータ、４  磁気ヘッド、６  ヘッドアッセンブリ、７  ボイスコイルモータ、９  筐体、１０  制御回路、１３  チャネル回路、１４  アンプ回路、１７  ドライバ回路、２１ｃ  データ中心、２１ｓ  サーボデータ領域、２１ｕ  ユーザデータ領域、２３  製品サーボパターン、２３１  製品アドレスパターン、２３２  製品バーストパターン、２５  不良サーボパターン、２５１  不良アドレスパターン、２５２  不良バーストパターン、２７  予備サーボパターン、２７１  予備アドレスパターン、２７２  予備バーストパターン、４１  記録素子、４３  再生素子。
【図１】
2010027112.tif 000003
【図２】
2010027112.tif 000004
【図３】
2010027112.tif 000005
【図４Ａ】
2010027112.tif 000006
【図４Ｂ】
2010027112.tif 000007
【図４Ｃ】
2010027112.tif 000008
【図４Ｄ】
2010027112.tif 000009
【図４Ｅ】
2010027112.tif 000010
【図５】
2010027112.tif 000011